(57)【要約】【課題】本発明は、カバー内に換気調整機構を設けることにより大きさをコンパクトにできると共に簡単に換気調整を行なえる室内側換気口を提供する。【解決手段】室内側換気口１０の換気口本体１２の背板部１４にはカバー４６が取り付けられている。カバー４６の内側にはキャップ板５８が収容され、キャップ板５８には換気調整筒体６０が突設されている。前記カバー４６の内側には換気調整板６６が配設され、換気調整板６６の中央部には換気調整筒体６０が挿入されるスプリング保持筒体６８が形成されている。スプリング保持筒体６８にはコイルスプリング７８が巻装されている。前記換気調整板６６の反室内側面には前記換気調整筒体６０に突設された換気調整突起６２が収容される第１換気調整溝８０、第２換気調整溝８２、第３換気調整溝８４が刻設されている。【選択図】    図１
2004309065.tif 000002
【特許請求の範囲】
【請求項１】
換気口本体の室内側に形成された背板部と、この背板部に貫通形成された開口部と、この開口部の外周に形成されたリング状突起片と、前記背板部の開口部と同心状に反室内側に向かって突設された筒状の胴部と、前記背板部の室内側に取り付けられたカバーと、このカバーの反室内側に突設された換気調整筒体と、この換気調整筒体の先端部に突設された換気調整突起と、前記カバーの内側に配設されて換気量を調整する円板状の換気調整板と、この換気調整板の反室内側外周部に形成されると共に前記リング状突起片と密着当接可能な当接面と、前記換気調整板の中央部に形成されると共に前記換気調整筒体が挿入される筒状のスプリング保持筒体と、前記換気調整板の室内側に配設されて前記スプリング保持筒体に巻装されると共に前記換気調整板を常時反室内側方向に付勢するコイルスプリングと、前記換気調整板の反室内側面に形成されると共に前記換気調整突起が収容されることにより前記換気調整板の移動を停止させて換気量を調整する深さ寸法の異なる複数の換気調整溝と、を有してなることを特徴とする室内側換気口。
【請求項２】
換気口本体の室内側に形成された背板部と、この背板部に貫通形成された開口部と、この開口部の外周に形成されたリング状突起片と、このリング状突起片の外周部に形成された換気調整板当接面と、前記背板部の開口部と同心状に反室内側に向かって突設された筒状の胴部と、前記背板部の室内側に取り付けられたカバーと、このカバーの内側に配設されたキャップ板と、このキャップ板の反室内側に突設された換気調整筒体と、この換気調整筒体の先端部に突設された換気調整突起と、前記カバーの内側に配設されて換気量を調整する円板状の換気調整板と、この換気調整板の反室内側外周部に形成されると共に前記リング状突起片の換気調整板当接面と密着当接可能な当接面と、前記換気調整板の中央部に形成されると共に前記換気調整筒体が挿入される筒状のスプリング保持筒体と、前記換気調整板の室内側に配設されて前記スプリング保持筒体に巻装されると共に一端部は前記キャップ板に当接し他端部は換気調整板に当接して前記換気調整板を常時反室内側方向に付勢するコイルスプリングと、前記換気調整板の反室内側面に形成されると共に前記換気調整突起が収容されることにより前記換気調整板の移動を停止させて換気量を段階的に調整する深さ寸法の異なる第１換気調整溝、第２換気調整溝、第３換気調整溝と、を有してなることを特徴とする室内側換気口。
【発明の詳細な説明】
【０００１】
【発明の属する技術分野】
本発明は、建築物の室内の換気を行うために建築物の室内に取り付けられる室内側換気口に関する。
【０００２】
【従来の技術】
建築物室内の換気を行うために建築物の室内側壁に室内側換気口を取り付ける場合がある。
従来の室内側換気口は換気口本体にキャップが軸方向に移動可能なように挿入されて取り付けられている。
そして、前記キャップを軸方向に移動させることにより換気口本体の開口部の開口面積を変化させて換気量を調整するようになっている（例えば、特許文献１参照。）。
このため、前記換気口本体とキャップの間隔で換気量の調整を行うため換気口本体の構造が複雑になってしまい換気口本体を通過する空気の空気抵抗が増加して換気効率が低下すると共に換気調整の操作が煩雑であるという不具合がある。
また、換気口本体の構造が複雑になるため室内側に突出する部分が大きくなって室内の景観を低下させてしまうという不具合がある。
【０００３】
【特許文献１】
登録実用新案第２５９３５６４号公報（図１、図３）。
【０００４】
【発明が解決しようとする課題】
本発明は上記事実に鑑みなされたものであり、換気口本体に取り付けられるカバー内に換気調整機構を設けることにより大きさをコンパクトにできると共に空気が通過する換気口本体の構造を簡単にして換気効率を高められ、しかも簡単に換気調整を行うことができる室内側換気口を提供するものである。
【０００５】
【課題を解決するための手段】
請求項１の発明は、換気口本体の室内側に形成された背板部と、この背板部に貫通形成された開口部と、この開口部の外周に形成されたリング状突起片と、前記背板部の開口部と同心状に反室内側に向かって突設された筒状の胴部と、前記背板部の室内側に取り付けられたカバーと、このカバーの反室内側に突設された換気調整筒体と、この換気調整筒体の先端部に突設された換気調整突起と、前記カバーの内側に配設されて換気量を調整する円板状の換気調整板と、この換気調整板の反室内側外周部に形成されると共に前記リング状突起片と密着当接可能な当接面と、前記換気調整板の中央部に形成されると共に前記換気調整筒体が挿入される筒状のスプリング保持筒体と、前記換気調整板の室内側に配設されて前記スプリング保持筒体に巻装されると共に前記換気調整板を常時反室内側方向に付勢するコイルスプリングと、前記換気調整板の反室内側面に形成されると共に前記換気調整突起が収容されることにより前記換気調整板の移動を停止させて換気量を調整する深さ寸法の異なる複数の換気調整溝と、を有してなることを特徴としている。
請求項２の発明は、換気口本体の室内側に形成された背板部と、この背板部に貫通形成された開口部と、この開口部の外周に形成されたリング状突起片と、このリング状突起片の外周部に形成された換気調整板当接面と、前記背板部の開口部と同心状に反室内側に向かって突設された筒状の胴部と、前記背板部の室内側に取り付けられたカバーと、このカバーの内側に配設されたキャップ板と、このキャップ板の反室内側に突設された換気調整筒体と、この換気調整筒体の先端部に突設された換気調整突起と、前記カバーの内側に配設されて換気量を調整する円板状の換気調整板と、この換気調整板の反室内側外周部に形成されると共に前記リング状突起片の換気調整板当接面と密着当接可能な当接面と、前記換気調整板の中央部に形成されると共に前記換気調整筒体が挿入される筒状のスプリング保持筒体と、前記換気調整板の室内側に配設されて前記スプリング保持筒体に巻装されると共に一端部は前記キャップ板に当接し他端部は換気調整板に当接して前記換気調整板を常時反室内側方向に付勢するコイルスプリングと、前記換気調整板の反室内側面に形成されると共に前記換気調整突起が収容されることにより前記換気調整板の移動を停止させて換気量を段階的に調整する深さ寸法の異なる第１換気調整溝、第２換気調整溝、第３換気調整溝と、を有してなることを特徴としている。
【０００６】
【発明の実施の形態】
図１〜図７には本発明に係る室内側換気口１０の一実施例が示されている。
図５に示されるように、室内側換気口１０の換気口本体１２の背板部１４は正面視矩形状に形成されている。この背板部１４には円形の開口部１６が形成され、背板部１４の反室内側には前記開口部１６と同心状に円筒状の胴部１８が突設されている。
図２及び図３に示されるように、この胴部１８には円筒状のカートリッジ２０が挿入されるようになっている。このカートリッジ２０は円筒状のカートリッジ本体２２と円筒状のフィルター収容体２４を連結して構成されている。
図５に示されるように、このカートリッジ本体２２の外周面には爪係止部２６が形成され、この爪係止部２６に前記フィルター収容体２４の外周面に突設された係止爪２８を係止させることによりカートリッジ本体２２とフィルター収容体２４は連結するようになっている。
前記カートリッジ本体２２の室内側にはリング状のリング状突起片３０が突設され、このリング状突起片３０が前記背板部１４と当接することによりカートリッジ２０は反室内側方向に移動できないようになっている。また、前記リング状突起片３０の室内側外周部には傾斜した風量調整板当接面３０Ａが形成されている（図２参照）。
前記フィルター収容体２４の反室内側には正面視十字状のフィルター押え片３１が形成され、円板状のフィルター３２，３２とプリーツ状に形成された活性炭シートを円筒状にした活性炭シートフィルター３４を確実に収容できるようになっている。
前記カートリッジ本体２２には室内側に位置するフィルター３２を押さえるフィルター押え片３５が正面視十字状に形成されている。また、カートリッジ本体２２の通気部３６の下部には止水板３８が立ち上がった状態で一体形成されている。
前記背板部１４の室内側側部には側片４０、４０が対向して突設形成され、背板部１４の室内側上側部には整流突起部４２が突設形成されている。
図２及び図３に示されるように、この整流突起部４２の下面には室内側上方に向けて傾斜する整流傾斜面４２Ａが形成されている。また、前記背板部１４の室内側下側部には縦断面Ｕ字形状の水受けバケット４４が突設形成されている。
図４に示されるように、前記換気口本体１２の背板部１４の室内側には正面視矩形状のカバー４６が下端部を中心として回動可能に取り付けられている。従って、カバー４６を回動させることにより容易にカートリッジ２０の交換や清掃を行うことができる。
図１に示されるように、このカバー４６の正面視矩形状に形成され、カバー４６には側片５０，５０と上片５２と下片５４が突設されている。このカバー４６の上片５２には傾斜部５２Ａが形成され、傾斜部５２Ａには換気開口部５６が切欠き形成されている。
図４に示されるように、このカバー４６の内側にはカバー４６より小さく正面視矩形状に形成されたキャップ板５８が収容されている。
図６に示されるように、このキャップ板５８の反室内側の中央部には円筒状の換気調整筒体６０が突設されている。この換気調整筒体６０の先端部には換気調整突起６２，６２が突設されている。また、前記キャップ板５８の反室内側には換気調整筒体６０と同心状にリング状凹部６４が形成されている。
図２及び図３に示されるように、前記カバー４６の内側には円板状の換気調整板６６が配設されるようになっている。この換気調整板６６の反室内側外周部には前記リング状突起片３０の換気調整板当接面３０Ａと密着当接できるように傾斜状に形成された当接面６６Ａが設けられている。前記換気調整板６６は換気口本体１２を流れる空気の量を調整するものであり、換気調整板６６の移動量により空気の換気量を段階的に調整できるようになっている。即ち、換気調整板６６の当接面６６Ａを前記リング状突起片３０の換気調整板当接面３０Ａから離間させると換気が行われ、換気調整板６６の当接面６６Ａを換気調整板当接面３０Ａに密着当接させると通気部３６は完全に閉じられて換気は停止されるようになっている。
図５に示されるように、前記換気調整板６６の中央部には前記換気調整筒体６０が挿入される円筒状のスプリング保持筒体６８が形成されている。このスプリング保持筒体６８の内周面には対向して前記換気調整突起６２，６２が通過できる突起通過溝７０，７０が軸方向に刻設されている。従って、前記換気調整筒体６０をスプリング保持筒体６８に挿入する場合は前記換気調整突起６２，６２を突起通過溝７０，７０に対応させることにより、換気調整筒体６０をスプリング保持筒体６８に挿入できるようになっている。
また、前記換気調整板６６の室内側面にはスプリング保持筒体６８と同心状にリング状凹部７２が窪んで形成されている。
図２及び図３に示されるように、前記換気調整板６６の室内側には断熱板７４が換気調整板６６と密着状態で配設されるようになっている。この断熱板７４は円板状に形成され、中央部に貫通口７６が形成されている。
前記スプリング保持筒体６８にはコイルスプリング７８が巻装され、コイルスプリング７８の一端部７８Ａは前記キャップ板５８のリング状凹部６４に当接し、他端部７８Ｂは換気調整板６６のリング状凹部７２に当接するようになっている。従って、このコイルスプリング７８は常時換気調整板６６を反室内側に付勢している。
図７に示されるように、前記換気調整板６６の反室内側面には前記突起通過溝７０，７０の間に前記換気調整突起６２，６２が収容される第１換気調整溝８０，８０、第２換気調整溝８２，８２、第３換気調整溝８４，８４が４５°づつずれて対角線状に対向して刻設されている。この第１換気調整溝８０，８０は浅く刻設され、第２換気調整溝８２，８２は中程度に深く刻設され、第３換気調整溝８４，８４は一番深く刻設されている。
従って、室内側換気口１０の換気量を大きくしたい時は第１換気調整溝８０，８０に換気調整突起６２，６２を収容させると換気調整板６６は前記リング状係止突起片３０から大きく離間するので換気量が大きくなり、換気量を少しにしたい時は第２換気調整溝８２，８２に換気調整突起６２，６２を収容させると換気調整板６６は前記リング状突起片３０から少し離間するので換気量が少しになり、換気を停止したい時は第３換気調整溝８４，８４に換気調整突起６２，６２を収容させると換気調整板６６は前記リング状突起片３０に密着当接するので通気部３６は完全に閉じられるため換気量は停止する。
なお、上述したように前記室内側換気口１０の換気量を調整する換気調整筒体６０や換気調整板６６等はカバー４６の内側に配設されているため、換気口本体１２の内部面積を広くすることができるため、換気抵抗を抑えて効率よく換気できる。
【０００７】
次に、実施例の作用について説明する。
室内側換気口１０の換気量を多くしたい場合は図４に示されるようにカバー４６を回動させてカバー４６を開ける。そして、前記換気調整板６６をコイルスプリング７８の付勢力に抗して押すと共に周方向に回して前記第１換気調整溝８０，８０に挿入筒体６０の突起ピン６２，６２を対応させて押すのを止めると換気調整板６６はコイルスプリング７８の付勢力により室外側に移動するが換気調整板６６は換気調整突起６２，６２によりそれ以上の移動を阻止される。従って、換気調整板６６はリング状突起片３０から離れた位置で停止するので通気部３６から流れる空気の量は多くなる（図２参照）。
前記室内側換気口１０は、換気量を調整する機構である換気調整筒体６０や換気調整板６６等はカバー４６の内側にのみ配設されているので、換気口本体１２の面積を広く有効に使用することができ換気口本体１２を通過する空気は換気調整筒体６０や換気調整板６６等によって抵抗を受けることなく円滑に流れることができ、換気効率を高めることができる。
前記換気口本体１２を通過する空気の湿気でカートリッジ２０に収容されたフィルター３２，３２や活性炭シートフィルター３４等に結露が生じ、結露水がカートリッジ２０を室内側に流れようとしてもカートリッジ本体２２の通気部３６の下部には止水板３８が立設されているので、結露水が換気口本体１２から室内側に流れてしまうことを阻止することができる。また、万が一、結露水が前記カートリッジ２０から室内側に流れたとしても、前記背板部１４の室内側下側部には水受けバケット４４が形成されているので結露水の室内側への流出を未然に防止することができる。
換気口本体１２のカートリッジ２０にはフィルター３２，３２が内設されているので埃の大部分が取り除かれた空気を室内に供給することができる。
また、前記フィルター３２とフィルター３２の間には活性炭シートフィルター３４が設けられているので、屋外の空気に含まれている窒素酸化物や硫黄酸化物の大部分を取り除くことができる。
前記換気口本体１２のカートリッジ２０によって浄化された空気は換気口本体１２を通過した後、換気開口部５６を通って室内の天井方向に向かって一旦流れるので、室内の空気とよく混ざり合い冬等冷たい空気が換気口本体１２を通過しても冷たい空気は直接室内に居る者の頭上から降り注ぐことを阻止して不快感を感じることを回避することができる。
また、前記換気開口部５６近傍には室内側上方に向けて傾斜した整流傾斜面４２Ａを有する整流突起部４２が突設形成されているため、室内に流れる空気は壁の室内側面から離間するように室内に流れるので、流れ込む空気に僅かに含まれている埃等によって壁の室内側面が汚れるのを防止することができる。
前記室内側換気口１０の換気を停止したい場合はカバー４６を回動させて開けて、換気調整板６６をコイルスプリング７８の付勢力に抗して押すと共に周方向に回して一番深く刻設されている前記第３換気調整溝８４，８４に換気調整突起６２，６２を対応させて押すのを止める。すると、換気調整板６６はコイルスプリング７８の付勢力により反室内側に移動して換気調整板６６は換気調整突起６２，６２によりそれ以上の移動を阻止されるので、換気調整板６６の当接面６６Ａはリング状突起片３０の風量調整板当接面３０Ａに密着当接する。これにより、換気調整板６６は前記通気部３６を完全に閉じるため、換気を停止することができる（図３参照）。しかも、換気調整板６６の傾斜した当接面６６Ａはリング状突起片３０の傾斜した風量調整板当接面３０Ａに密着当接すると共にコイルスプリング７８により押し付けられるので換気口本体１２の密閉度を高めることができる。
前記室内側換気口１０の換気量を少なくして換気したい場合は前記カバー４６を回動させて開けて、換気調整板６６をコイルスプリング７８の付勢力に抗して押すと共に周方向に回して前記第２換気調整溝８２，８２に換気調整筒体６０の換気調整突起６２，６２を対応させて押すのを止める。すると、換気調整板６６はコイルスプリング７８の付勢力により反室内側に移動するが換気調整板６６は換気調整突起６２，６２によりそれ以上の移動を阻止されるので、換気調整板６６はリング状突起片３０から少し離れた位置で停止する。これにより、通気部３６から流れる空気の量を少しにした状態で換気することができる。
従って、室内側換気口１０の換気量を調整する場合は、カバー４６を回動させて開けて、換気調整板６６を押しながら回して換気調整突起６２，６２を第１換気調整溝８０，８０、第２換気調整溝８２，８２、第３換気調整溝８４，８４の適宜溝に収容させるだけの簡単な作業で段階的な換気調整を行うことができる。
【０００８】
なお、実施例では換気調整板６６の反室内側面に三対の第１換気調整溝８０，８０、第２換気調整溝８２，８２、第３換気調整溝８４，８４を刻設したが、換気調整溝の数はこれに限定されるものでなく二対以下でも、四対以上でもよいことは勿論である。
【０００９】
【発明の効果】
本発明の室内側換気口は、カバーを開けて換気調整板を操作するだけの極めて簡単な作業で換気量を調整できるという優れた効果を有する。
また、室内側換気口は、カバーの内側に換気調整機構である換気調整板等を配設したので、換気口本体の面積を広く有効に使用することができ、空気抵抗の増大を抑えて効率的な換気を行うことができると共に室内側換気口をコンパクトにできるので室内の景観等を乱すことがないという優れた効果を有する。
さらに、室内側換気口は、換気調整板の当接面がリング状突起片に密着当接しコイルスプリングにより押し付けられるので換気口本体の密閉度を高めることができるという優れた効果を有する。
【図面の簡単な説明】
【図１】実施例の室内側換気口の全体斜視図である。
【図２】実施例の室内側換気口の縦断面図である。
【図３】実施例の室内側換気口の縦断面図である。
【図４】実施例の室内側換気口のカバーを回動させた状態の斜視図である。
【図５】実施例の室内側換気口の分解斜視図である。
【図６】実施例の室内側換気口のカバーサポート板を室外側からみた斜視図である。
【図７】実施例の室内側換気口の換気調整板を室外側からみた斜視図である。
【符号の説明】
１０    室内側換気口
１２    換気口本体
１４    背板部
１６    開口部
１８    胴部
３０    リング状突起片
３０Ａ  換気調整板当接面
３６    通気部
４６    カバー
５８    キャップ板
６０    換気調整筒体
６２    換気調整突起
６６    換気調整板
６６Ａ  当接面
６８    スプリング保持筒体
７０    突起通過溝
７８    コイルスプリング
８０    第１換気調整溝
８２    第２換気調整溝
８４    第３換気調整溝
【図１】
2004309065.tif 000003
【図２】
2004309065.tif 000004
【図３】
2004309065.tif 000005
【図４】
2004309065.tif 000006
【図５】
2004309065.tif 000007
【図６】
2004309065.tif 000008
【図７】
2004309065.tif 000009